(57)【要約】  ポータブルコンピュータデバイスはリッドと、ヒンジ構造によりリッドに取り付けられたベースと、リッドとベースとの交差部分にあるヒンジとを備える場合がある。ヒンジはスタイラスを収容するように構成されている凹部を形成してよい。ヒンジは、スタイラスが凹部内にある間、スタイラスの中のバッテリを充電するための電力を供給するように構成されているサーキッティを含んでよい。
2019500663.tif 000002
【特許請求の範囲】
【請求項１】
ポータブルコンピュータデバイスであって、
リッドと、
前記リッドにヒンジ式に取り付けられているベースと、
前記リッドと前記ベースとの交差部分にあるヒンジとを備え、前記ヒンジはスタイラスを収容するように構成されている凹部を形成しており、前記ヒンジは、前記スタイラスが前記凹部内にある間に前記スタイラス内のバッテリを充電するための電力を供給するように構成されているサーキッティを有する、
ポータブルコンピュータデバイス。
【請求項２】
前記リッドは前記スタイラスからの入力を受け取るように構成されているディスプレイを備える、請求項１に記載のポータブルコンピュータデバイス。
【請求項３】
前記リッドは前記リッドの第１面にディスプレイを備え、
前記ベースは前記ベースの第１面にキーボードを備え、
前記ヒンジは、前記ディスプレイが前記キーボードに面する第１位置から、前記ディスプレイと反対側にある前記リッドの第２面が前記キーボードと反対側にある前記ベースの第２面に面する第２位置まで前記リッドを３６０度回転させるように構成されている
請求項１に記載のポータブルコンピュータデバイス。
【請求項４】
前記ポータブルコンピュータデバイスはラップトップコンピュータである、請求項１に記載のポータブルコンピュータデバイス。
【請求項５】
前記回路は、前記スタイラスが前記凹部内にある間に前記スタイラスに前記電力を供給するように構成されている電気ノードを有する、請求項１に記載のポータブルコンピュータデバイス。
【請求項６】
前記回路は、前記スタイラスが前記凹部内にある間、前記スタイラスの周囲を回って延びているノードに前記電力を供給するように構成されている、請求項１に記載のポータブルコンピュータデバイス。
【請求項７】
前記回路は、前記スタイラスが前記凹部内にある間、前記スタイラスの一端部に位置するノードに前記電力を供給するように構成されている、請求項１に記載のポータブルコンピュータデバイス。
【請求項８】
前記回路は、前記スタイラスが前記凹部内にある間、前記スタイラスに電力を供給するための磁場を供給するように構成されている、請求項１に記載のポータブルコンピュータデバイス。
【請求項９】
前記回路は前記スタイラスにファームウェア更新を提供するようにさらに構成されている、請求項１に記載のポータブルコンピュータデバイス。
【請求項１０】
前記凹部内に前記スタイラスをさらに備える、請求項１に記載のポータブルコンピュータデバイス。
【請求項１１】
前記リッドは前記スタイラスからの入力を受け取るように構成されているディスプレイを備え、
前記ポータブルコンピュータデバイスは前記凹部内に前記スタイラスをさらに備え、前記スタイラスは前記ディスプレイに入力を与えるように構成されている、請求項１に記載のポータブルコンピュータデバイス。
【請求項１２】
前記リッドは前記スタイラスからの入力を受け取るように構成されているディスプレイを備え、
前記ポータブルコンピュータデバイスは前記凹部内に前記スタイラスをさらに備え、前記スタイラスは視覚的なインジケータを備え、前記スタイラスが前記凹部内にある間、前記視覚的なインジケータにより前記スタイラス内のバッテリの状態を示すように構成されている、請求項１に記載のポータブルコンピュータデバイス。
【請求項１３】
前記サーキッティは時刻を示す信号を前記スタイラスに送るように構成されており、
前記ポータブルコンピュータデバイスは前記凹部内に前記スタイラスをさらに備え、前記スタイラスは前記スタイラスが前記凹部内にある間、前記時刻を表示するように構成されているディスプレイを備える、請求項１に記載のポータブルコンピュータデバイス。
【請求項１４】
前記ヒンジは前記凹部内に前記スタイラスを保持するように構成されている保持機構をさらに備える、請求項１に記載のポータブルコンピュータデバイス。
【請求項１５】
前記回路は
前記スタイラスからバッテリ状態インジケータ信号を受け取り、
前記バッテリが満充電されていないことを前記バッテリ状態インジケータ信号が示した場合には、前記スタイラスが前記凹部内にある間、前記スタイラスに前記電力を供給し、
前記バッテリが満充電されていることを前記バッテリ状態インジケータ信号が示した場合には、前記凹部内に前記スタイラスがある間、前記スタイラスに前記電力を供給しないようにさらに構成されている、請求項１に記載のポータブルコンピュータデバイス。
【請求項１６】
ポータブルコンピュータデバイス内のスタイラスを充電するための命令が記憶されている非一過性のコンピュータ可読記憶媒体であって、前記命令は、１つ以上のプロセッサにより実行される時、前記ポータブルコンピュータデバイスに
スタイラスが前記ポータブルコンピュータデバイスによって形成されている凹部内にあるか否か、また満充電未満の状態にあるか否かを判定することと、
前記スタイラスが前記ポータブルコンピュータデバイスによって形成されている前記凹部内にあり、かつ、満充電未満の状態にある場合には、前記スタイラスに電力を供給することと、
前記スタイラスが前記ポータブルコンピュータデバイスによって形成されている前記凹部内にない場合または前記スタイラスが満充電されている場合には、前記スタイラスに電力を供給しないことと、
を少なくとも行わせるように構成されている非一過性のコンピュータ可読記憶媒体。
【請求項１７】
前記命令は、前記スタイラスから受け取られる信号を前記ポータブルコンピュータデバイスに処理させるようにさらに構成されており、前記信号は前記スタイラスが満充電されているか否かを示す、請求項１６に記載の非一過性のコンピュータ可読記憶媒体。
【請求項１８】
前記命令は、前記ポータブルコンピュータデバイスに、時刻を示す信号を前記スタイラスに対し送らせるようにさらに構成されている、請求項１６に記載の非一過性のコンピュータ可読記憶媒体。
【請求項１９】
前記命令は、前記ポータブルコンピュータデバイスに、１つ以上のファームウェア更新を含む信号を前記スタイラスに対して送らせるようにさらに構成されている、請求項１６に記載の非一過性のコンピュータ可読記憶媒体。
【請求項２０】
ポータブルコンピュータデバイスであって、
ディスプレイを第１面に備えるリッドと、
前記リッドにヒンジ式に取り付けられたベースであって、前記ベースの第１面にキーボードを備える前記ベースと、
前記リッドと前記ベースとの交差部分にあるヒンジとを備え、前記ヒンジは、前記ディスプレイが前記キーボードに面する第１位置から前記ディスプレイと反対側にある前記リッドの第２面が前記キーボードと反対側にある前記ベースの第２面に面する第２位置まで前記リッドを３６０度回転させるように構成されており、前記ヒンジはスタイラスを収容するように構成されている凹部を形成しており、前記ポータブルコンピュータデバイスは、
前記凹部内のスタイラスが満充電未満の状態にあるか否かを判定することと、
前記スタイラスが前記凹部内にあり、かつ、満充電未満の状態にある場合には、前記スタイラスに電力を供給することと、
前記凹部内の前記スタイラスが満充電されている場合には、前記スタイラスに電力を供給しないことと、
前記スタイラスにファームウェア更新を提供することと、
を行うように構成されているサーキッティを含む、ポータブルコンピュータデバイス。
【発明の詳細な説明】
【技術分野】
【０００１】
本記載はポータブルコンピュータデバイスに関する。
【背景技術】
【０００２】
ポータブルコンピュータデバイスはユーザに利便性を提供することができる。ユーザは様々な場所において、ラップトップコンピュータなどの自身のポータブルコンピュータデバイス上で作業をすることができる。
【図面の簡単な説明】
【０００３】
【図１Ａ】一実施形態例に係るラップトップコンピュータの斜視図。
【図１Ｂ】一実施形態例に係る開姿勢におけるラップトップコンピュータの側面図。
【図１Ｃ】一実施形態例に係る閉姿勢におけるラップトップコンピュータの側面図。
【図１Ｄ】一実施形態例に係るタブレット姿勢におけるラップトップコンピュータの側面図。
【図１Ｅ】別の実施形態例に係る開姿勢におけるラップトップコンピュータの斜視図。
【図１Ｆ】図１Ｅに示した実施形態例に係る閉姿勢におけるラップトップコンピュータの背面図。
【図２Ａ】一実施形態例に係るスタイラスを保持するためのレセプタクルを示したラップトップコンピュータのヒンジの断面図。
【図２Ｂ】別の実施形態例に係るスタイラスを保持するためのレセプタクルを示したラップトップコンピュータのヒンジの断面図。
【図２Ｃ】別の実施形態例に係るスタイラスを保持するためのレセプタクルを示したラップトップコンピュータのヒンジの断面図。
【図３Ａ】一実施形態例に係るスタイラスの側面図。
【図３Ｂ】別の実施形態例に係るスタイラスの側面図。
【図３Ｃ】別の実施形態例に係るスタイラスの側面図。
【図３Ｄ】別の実施形態例に係るスタイラスの端面図。
【図４】一実施形態例に係るラップトップコンピュータにより実行される方法を示したフローチャート。
【図５】本明細書に記載される技術を実施するために用いられうるコンピュータデバイスおよびモバイルコンピュータデバイスの一例を示す。
【発明を実施するための形態】
【０００４】
ラップトップコンピュータなどのポータブルコンピュータデバイスは、ラップトップコンピュータデバイスのディスプレイに書くための回路を有し得るスタイラスを、ラップトップコンピュータデバイスのヒンジの中に格納する場合がある。スタイラスがヒンジの中にある間、ラップトップコンピュータはスタイラス内のバッテリを充電することができる。
【０００５】
１つの一般的な態様では、ポータブルコンピュータデバイスはリッドと、ヒンジ構造によりリッドに取り付けられたベースと、リッドとベースとの交差部分にあるヒンジとを備えてよい。ヒンジはスタイラスを収容するように構成されている凹部を形成してよい。ヒンジは、スタイラスが凹部内にある間にスタイラスの中のバッテリを充電するための電力を供給するように構成されているサーキッティを有してよい。
【０００６】
別の一般的な態様では、非一過性のコンピュータ可読記憶媒体はその上に記憶されている命令であって、ポータブルコンピュータデバイス内のスタイラスを充電するための命令を含んでよい。命令は１つ以上のプロセッサにより実行されるとき、ポータブルコンピュータデバイスに、スタイラスがポータブルコンピュータデバイスによって形成されている凹部内にあり、かつ、満充電未満の状態にあるか否かを判定することと、スタイラスがポータブルコンピュータデバイスにより形成されている凹部内にあり、かつ、満充電未満の状態にある場合にはスタイラスに電力を供給することと、スタイラスがポータブルコンピュータデバイスによって形成されている凹部内にない場合またはスタイラスが満充電されている場合にはスタイラスに電力を供給しないことと、を少なくとも行わせるように構成されてよい。
【０００７】
別の一般的な態様では、ポータブルコンピュータデバイスはリッドの第１面にディスプレイを備えるリッドと、リッドにヒンジ式に取り付けられたベースと、ベースの第１面にキーボードを備えているベースと、リッドとベースとの交差部分にあるヒンジとを備えてよい。ヒンジは、ディスプレイがキーボードに面する第１位置から、ディスプレイと反対側にあるリッドの第２面がキーボードと反対側にあるベースの第２面に面する第２位置まで、リッドを３６０度回転させるように構成されてもよく、ヒンジはスタイラスを収容するように構成されている凹部を形成する。ポータブルコンピュータデバイスは、凹部内のスタイラスが満充電未満の状態にあるか否かを判定することと、スタイラスが凹部内にあり、かつ、満充電未満の状態にある場合にはスタイラスに電力を供給することと、凹部内のスタイラスが満充電されている場合にはスタイラスに電力を供給しないことと、スタイラスにファームウェア更新を提供することと、を行うように構成されているサーキッティを有してよい。
【０００８】
添付した図面と以下の記載において、１つ以上の実施の詳細が説明されている。他の特徴はその記載と図面から、および請求項から明白である。
発明の詳細な説明
図１Ａは一実施形態例に係るラップトップコンピュータ１００の斜視図である。ラップトップコンピュータ１００はポータブルコンピュータデバイスの一例である。本例において、ラップトップコンピュータ１００はリッド１０２とベース１０４とを備える。ベース１０４はリッド１０２にヒンジ式に取り付けられている。ベース１０４はヒンジ１０６によってリッド１０２にヒンジ式に取り付けられている。ヒンジ１０６はリッド１０２とベース１０４との交差部分に位置する。ヒンジ１０６はベース１０４とリッド１０２とを互いに関して回転させることができる。いくつかの実施においては、リッドはベースに関して３６０度回転してよい。図１Ａには示していないが、ヒンジ１０６は電子スタイラスを収容するための凹部を形成してよい。ヒンジ１０６は、スタイラスが凹部内にある間、スタイラス内のバッテリを充電するように構成されている回路を有してよい。
【０００９】
リッド１０２はリッド１０２の第１面１０３にディスプレイ１０８を有してよい。ディスプレイ１０８はユーザに映像を提示することができ、液晶ディスプレイ（ＬＣＤ）、発光ダイオード（ＬＥＤ）ディスプレイ、プラズマディスプレイまたは他のディスプレイ技術を含んでよい。
【００１０】
ベース１０４はベース１０４の第１面１０５にキーボード１１０およびトラックパッド１１２のうちの一方または両方を有してよい。キーボード１１０はユーザからの英数字入力を受け取るためのキーを有してよい。トラックパッド１１２はユーザからの触覚による入力を受け取る面を有してよい。
【００１１】
図１Ｂは一実施形態に係る開姿勢におけるラップトップコンピュータ１００の側面図である。図１Ｂに示すように、リッド１０２とベース１０４とはヒンジ１０６によって互いにヒンジ式に取り付けられている。ヒンジ１０６は非限定的な例としてバレルヒンジまたは連続ヒンジを含んでよい。
【００１２】
ヒンジ１０６はレセプタクル１１４を形成してよい。レセプタクル１１４は円筒状であってよく、またベース１０４とリッド１０２との交差部分、取付部分、または両方と平行な方向に、ヒンジ１０６の一端からヒンジ１０６の反対側の端にかけて延びていてよい。ヒンジ１０６がバレルヒンジである一例においては、レセプタクル１１４とスタイラス３００とがベース１０４内に追加のスペースをとらないように、レセプタクル１１４はバレルヒンジの空隙の中に組み入れられる。ヒンジ１０６が連続ヒンジである一例においては、レセプタクル１１４とスタイラス３００とがベース１０４内に追加のスペースをとらないように、レセプタクル１１４は連続ヒンジのバレルの中に組み入れられる。
【００１３】
レセプタクル１１４はスタイラス３００を収容することができる。スタイラス３００はレセプタクル１１４の中に延びてよい。スタイラス３００は、レセプタクル１１４から取り外されているときには、例えばディスプレイ１０８に磁場を誘導すること、電場を発生させること、および圧力をかけることのうちの１つ以上によって、ディスプレイ１０８（図１Ｂに示していない）に入力を与えることができ、あたかも紙片に書くように、ユーザがディスプレイ１０８に書くことを可能とすることができる。ヒンジ１０６のレセプタクル１１４の中にスタイラス３００を格納することはスペースの節約を可能にし、ラップトップコンピュータ１００のベース１０４内に、他の部品に対する余地より多くの余地を可能とする。
【００１４】
図１Ｃは一実施形態例に係る閉姿勢におけるラップトップコンピュータ１００の側面図である。本例では、閉姿勢において、リッド１０２とベース１０４との第１面１０３、１０５（図１Ｃではラベルを付していない）が互いに面するか、ディスプレイ１０８（図１Ｃには示していない）とキーボード１１０（図１Ｃには示していない）とが互いに面するか、またはその両方となる。本例において、リッド１０２とベース１０４との第２面１１３、１１５（第１面１０３、１０５と反対側にある）は互いに反対側にあり、互いの反対を向いている。
【００１５】
図１Ｄは一実施形態例に係るタブレット姿勢におけるラップトップコンピュータ１００の側面図である。本例においては、リッド１０２とベース１０４との一方または両方が図１Ｃの閉姿勢から互いに関して３６０度回転されていて、ラップトップコンピュータ１００をタブレット姿勢としている。タブレット姿勢では、ユーザはリッド１０２の第１面１０３とディスプレイ１０８（図１Ｄに示していない）とに面することができ、またタブレットコンピュータデバイスのようにラップトップコンピュータ１００を保持し対話することができる。本例においては、第１面１０３、１０５は互いに反対側にあり、互いの反対を向いている。本例においては、ディスプレイ１０８（図１Ｄに示していない）およびキーボード１１０（図１Ｄに示していない）とは反対側にある第２面１１３および１１５（図１Ｄではラベルを付していない）は互いの反対を向いている。
【００１６】
図１Ｅは別の実施形態例に係る開姿勢におけるラップトップコンピュータ１００の斜視図である。本例において、ラップトップコンピュータ１００はリッド１０２をベース１０４にヒンジ式に接続する２つのヒンジ１０６Ａ、１０６Ｂを有する。スタイラス３００は、リッド１０２とベース１０４との交差部分であって２つのヒンジ１０６Ａと１０６Ｂとの間のレセプタクルに格納される。リッド１０２はスタイラス３００を格納するためのレセプタクルの一部を形成するリッド凹部を形成してよく、ベース１０４はスタイラス３００を格納するためのレセプタクルの別の部分を形成するベース凹部を形成してよい。スタイラス３００との通信、充電、またはその両方を行うための回路は、リッド１０２によって形成されるレセプタクルの部分か、ベース１０４によって形成されているレセプタクルの部分か、またはその両方に含まれてよい。
【００１７】
図１Ｆは図１Ｅに示した一実施形態例に係る閉姿勢におけるラップトップコンピュータ１００の背面図である。図１Ｆに示すように、この例でのスタイラスは２つのヒンジ１０６Ａと１０６Ｂとの間のレセプタクルに格納される。
【００１８】
図２Ａは一実施形態例に係るスタイラス３００（図２Ａに示していない）を保持するためのレセプタクル１１４を示すラップトップコンピュータ１００のヒンジ１０６の断面図である。図２Ａに示すように、レセプタクル１１４の一部は円筒状であることが可能である。本例において、スタイラス３００上のノードがスタイラス３００の外周を回って延びている一例では、ヒンジ１０６の回路はスタイラス３００内のバッテリを充電するための電気ノード２０２Ａを有してよい。ヒンジ１０６はレセプタクル１１４内にスタイラス３００を保持するための保持機構２０４を有してもよい。保持機構２０４はスタイラス３００がレセプタクル１１４の中に完全に挿入された時に係合することができ、係合後にスタイラス３００への圧力に応じてスタイラス３００を解放することができる。ノード２０２Ａによる充電用のスタイラス３００の一例を図３Ａに示す。
【００１９】
図２Ｂは別の実施形態例に係るスタイラス３００を保持するためのレセプタクル１１４を示すラップトップコンピュータ１００のヒンジ１０６の断面図である。本例において、スタイラス３００がスタイラス３００の一端部にノードを有するとき、ヒンジ１０６の回路はスタイラス３００を充電するための電気ノード２０２Ｂを有してよい。ノード２０２Ｂによる充電用のスタイラス３００の一例を図３Ｂに示す。
【００２０】
図２Ｃは別の実施形態例に係るスタイラス３００を保持するためのレセプタクル１１４を示すラップトップコンピュータ１００のヒンジ１０６の断面図である。本例において、ヒンジ１０６は電磁誘導充電によってスタイラス３００内のバッテリを充電することができる。ヒンジ１０６の回路は、スタイラス３００内のバッテリを充電するために変化する量の磁束を誘導する電流が流れることができるコイル２０６を有してよい。
【００２１】
図３Ａは一実施形態例に係るスタイラス３００の側面図である。スタイラス３００はディスプレイ１０８とトラックパッド１１２との一方または両方に入力を与えるための電子スタイラスを含んでよい。図３Ａに示すように、スタイラス３００は円錐端を備える円筒形状であってよい。スタイラス３００は、スタイラス３００の外周と周囲との一方または両方を回って延びる電気ノード３０２Ａを有してよい。ノード３０２Ａは、スタイラス３００内のバッテリを充電するためにラップトップコンピュータ１００から電力を受け取るよう、図２Ａのヒンジ１０６の例におけるノード２０２Ａと接触することができる。
【００２２】
図３Ｂは別の実施形態例に係るスタイラス３００の側面図である。本例において、スタイラス３００はスタイラス３００の一端に電気ノード３０２Ｂを有してよい。ノード３０２Ｂは、スタイラス３００を充電するためにラップトップコンピュータ１００から電力を受け取るよう、図２Ｂのヒンジ１０６の例におけるノード２０２Ｂと接することができる。
【００２３】
図３Ｃは別の実施形態例に係るスタイラス３００の側面図である。本例において、スタイラス３００は電磁誘導充電によってヒンジ１０６から動力を受け取ることができる。スタイラス３００内のバッテリを充電するためコイル３０４に電流を誘導する変化する量の磁束が伝播することができるように、スタイラス３００はコイル３０４を有してよい。変化する量の磁束はラップトップコンピュータ１００のヒンジ１０６によって与えられることができる。
【００２４】
図３Ｄは別の実施形態に係るスタイラス３００の端面図である。本例において、スタイラス３００は、ディスプレイ３０６と視覚的なインジケータとの一方または両方をスタイラスの一端部に有する。ディスプレイ３０６はスタイラスがレセプタクル１１４の中に完全に挿入されているときにユーザに視認可能となる。一実施形態例において、ディスプレイ３０６と視覚的なインジケータとの一方または両方は、スタイラス３００が満充電されているか否かを示すための色などの、状態更新情報を与える。別の実施形態例において、ディスプレイ３０６は時刻を示してよい。一実施形態例において、ラップトップコンピュータ１００のディスプレイ１０８の電源がオフであるとき、ディスプレイ３０６は時刻を示してもよく、スタイラス３００のディスプレイ３０６はラップトップコンピュータ１００のディスプレイ１０８よりも少ない動力しか消費しないので、動力が節約される。
【００２５】
図４は一実施形態例に係るラップトップコンピュータ１００などのポータブルコンピュータデバイスによって行われる方法を示したフローチャートである。ラップトップコンピュータ１００は命令が記憶されている非一過性のコンピュータ可読記憶媒体を有してよく、この命令は１つ以上のプロセッサにより実行される時、図４に関して本明細書に記載される、または本開示の他の箇所において記載される機能、方法、技術のうちの１つ以上の任意の組み合わせをラップトップコンピュータ１００に行わせるように構成されている。本例において、ラップトップコンピュータ１００はスタイラス３００の感知を行うことができる（４０２）。スタイラス３００の感知を行うことに基づいて、ラップトップコンピュータ１００はスタイラス３００がレセプタクル１１４の中に存在するか否かを判定することができる（４０４）。ラップトップコンピュータ１００はスタイラス３００の感知を行うことと、保持機構２０４が噛み合っているか否か、スタイラス３００のノード３０２Ａ、３０２Ｂがヒンジ１０６のノード２０２Ａ、２０２Ｂに接しているか否か、および電子デバイスがヒンジ１０６のコイル２０６に近接しているか否かのうちの１つ以上を判定することによりスタイラス３００がレセプタクル１１４の中にあるか否かを判定することとのうちの一方または両方を行ってよい。
【００２６】
スタイラス３００が存在しない場合、ラップトップコンピュータ１００はスタイラスの感知を続けてよい（４０２）。スタイラス３００が存在する場合には、ラップトップコンピュータ１００はスタイラス３００が満充電されているか否かを判定してよい（４０６）。ラップトップコンピュータ１００は、スタイラス３００から受け取られる信号に基づいて、スタイラス３００が満充電されているか否かを判定することができる。スタイラス３００が満充電されていない場合には、ラップトップコンピュータ１００はスタイラス３００を充電することができる（４０８）。ラップトップコンピュータ１００はノード２０２Ａ、３０２Ａ、２０２Ｂ、３０２Ｂ、コイル２０６、３０４、またはその両方によってスタイラス３００に電力を供給することによりスタイラス３００を充電することができる。
【００２７】
スタイラス３００が満充電されている場合には、ラップトップコンピュータ１００はスタイラス３００のファームウェアが最新であるか否かを判定してよい（４１０）。ラップトップコンピュータ１００は、スタイラス３００のファームウェアバージョン（スタイラス３００から受け取られる信号によって示されるものなど）と、ラップトップコンピュータ１００に記憶されている最新のファームウェアバージョン（ラップトップコンピュータ１００がインターネットを介してリモートサーバから受け取り得る）とを比較することによって、ファームウェアが最新であるか否かを判定することができる。
【００２８】
ファームウェアが最新でない場合、ラップトップコンピュータ１００はスタイラス３００のファームウェアを更新することができる（４１２）。ラップトップコンピュータ１００はファームウェアか、そのファームウェアの更新すべき部分を含むファイルを、ノード２０２Ａ、３０２Ａ、２０２Ｂ、３０２Ｂ、コイル２０６、３０４、またはその両方を介してスタイラス３００に送ることでファームウェアを更新することができる。
【００２９】
ファームウェアが最新である場合、ラップトップコンピュータ１００はスタイラス３００に時間を信号で送ることができる（４１４）。スタイラス３００が時間をディスプレイ３０６に提示することができるよう、ラップトップコンピュータ１００はスタイラス３００に時刻を信号で送ることができる。
【００３０】
図５に、ここに記載されている技術が用いられうる一般的なコンピュータデバイス５００および一般的なモバイルコンピュータデバイス５５０の一例を示す。コンピュータデバイス５００は、ラップトップ、デスクトップコンピュータ、ワークステーション、携帯情報端末、サーバ、ブレードサーバ、メインフレームおよび他の適切なコンピュータデバイスなどの、様々な形態のデジタルコンピュータに相当することが意図されている。コンピュータデバイス５５０は携帯情報端末、携帯電話、スマートフォン、および他の同様のコンピュータデバイスのなどの様々な形態のモバイルデバイスに相当することが意図されている。ここに示す構成要素と、それらの接続および関係と、それらの機能とは、例示であることを意味するに過ぎず、本文書において記載されている、権利を請求されている、またはその両方である発明の実施に限定することを意味するわけではない。
【００３１】
コンピュータデバイス５００は、プロセッサ５０２と、メモリ５０４と、記憶装置５０６と、メモリ５０４および高速拡張ポート５１０に接続している高速インターフェース５０８と、低速バス５１４および記憶装置５０６に接続している低速インターフェース５１２とを有する。構成要素５０２、５０４、５０６、５０８、５１０および５１２の各々は様々なバスを用いて互いに接続され、一般的なマザーボードの上または適宜他の方法で取り付けられてよい。プロセッサ５０２は、高速インターフェース５０８に対し結合されているディスプレイ５１６など、外部の入出力装置上にＧＵＩのためのグラフィック情報を表示するべくメモリ５０４にまたは記憶装置５０６上に記憶されている命令を含め、コンピュータデバイス５００内の実行のための命令を処理することができる。他の実施において、複数のプロセッサ、複数のバス、またはその両方が、複数のメモリおよび複数種のメモリとともに、適宜、用いられていてよい。また複数のコンピュータデバイス５００が接続され、各装置が必要な操作の部分を提供してもよい（例えば、サーバーバンク、ブレードサーバのグループ、またはマルチプロセッサシステム）。
【００３２】
メモリ５０４はコンピュータデバイス５００内に情報を記憶する。１つの実施において、メモリ５０４は１つまたは複数の揮発性のメモリユニットである。別の実施において、メモリ５０４は１つまたは複数の非揮発性のメモリユニットである。メモリ５０４は、磁気または光ディスクのなどの、コンピュータ可読媒体の別の形態であってもよい。
【００３３】
記憶装置５０６はコンピュータデバイス５００にマスストレージを提供することができる。１つの実施において、記憶装置５０６はフロッピー（登録商標）ディスクデバイス、ハードディスクデバイス、光ディスクデバイスまたはテープデバイスのなどのコンピュータ可読媒体、フラッシュメモリか他の同様の固体メモリデバイス、または記憶領域ネットワークか他の構成におけるデバイスを含んだデバイスのアレイであってよくまたは含んでよい。コンピュータプログラム製品は情報担体により触知可能に具体化されることが可能である。コンピュータプログラム製品は、実行される時に上に記載した方法など１つ以上の方法を実行する命令も含んでよい。情報担体はメモリ５０４、記憶装置５０６、またはプロセッサ５０２上のメモリのなどのコンピュータ可読または機械可読媒体である。
【００３４】
高速制御装置５０８がコンピュータデバイス５００についての帯域幅消費型の動作を管理する一方で、低速制御装置５１２はより小さな帯域幅しか消費しない動作を管理する。そのような機能の割り当ては単なる例示である。１つの実施において、高速制御装置５０８はメモリ５０４と、ディスプレイ５１６（例えばグラフィックプロセッサまたはグラフィックアクセラレータを通じて）と、様々な拡張カード（示されていない）を受け入れ得る高速拡張ポート５１０とに対し結合されている。その実施において、低速制御装置５１２は記憶装置５０６および低速拡張ポート５１４に対し結合されている。様々な通信ポート（例えばＵＳＢ、Ｂｌｕｅｔｏｏｔｈ（登録商標）、イーサネット（登録商標）、ワイヤレスイーサネット（登録商標））を含みうる低速拡張ポートは、キーボード、ポインティングデバイス、スキャナなどの１つ以上の入出力装置に結合されたり、例えばネットワークアダプタを通じてスイッチまたはルータなどのネットワークデバイスに結合されたりしてよい。
【００３５】
コンピュータデバイス５００は図に示すように、多くの異なる形態により実装されてよい。例えば、１つの標準サーバ５２０として実装されてもよく、複数のそうしたサーバからなるサーバのグループにより複数回実装されてもよい。また、ラックサーバシステム５２４の一部として実装されてもよい。さらに、ラップトップコンピュータ５２２などのパーソナルコンピュータにより実装されてもよい。これに代えて、コンピュータデバイス５００の構成要素は、デバイス５５０などのモバイルデバイス（示されていない）における他の構成要素と組み合わされてもよい。そのようなデバイスの各々は１つ以上のコンピュータデバイス５００、５５０を含んでよく、システム全体は互いに通信する複数のコンピュータデバイス５００、５５０から成り立っていてよい。
【００３６】
コンピュータデバイス５５０は、他の構成要素に加え、プロセッサ５５２、メモリ５６４、ディスプレイ５５４などの入出力装置、通信インターフェース５６６、およびトランシーバ５６８を含む。デバイス５５０には、追加のストレージを与えるためにマイクロドライブまたは他のデバイスなどの記憶装置が与えられる。構成要素５５０と５５２、５６４、５５４、５６６および５６８のおのおのは様々なバスを用いて互いに接続され、構成要素のいくつかは一般的なマザーボード上または適宜他の方法で置かれる。
【００３７】
プロセッサ５５２は、メモリ５６４に記憶されている命令を含むコンピュータデバイス５５０内で命令を実装することができる。プロセッサは、別個かつ複数のアナログとデジタルのプロセッサを有するチップのチップセットとして実装される場合がある。プロセッサは例えば、ユーザインターフェースの制御、デバイス５５０によって動作するアプリケーション、およびデバイス５５０による無線通信などの、デバイス５５０の他の構成要素の調整を担ってよい。
【００３８】
プロセッサ５５２は制御インターフェース５５８およびディスプレイ５５４に結合されたディスプレイインターフェース５５６を通してユーザとやりとりする。ディスプレイ５５４は例えば、ＴＦＴ  ＬＣＤ（薄膜トランジスタ液晶ディスプレイ）かＯＬＥＤ（有機発光ダイオード）ディスプレイ、または他の適切なディスプレイ技術であってよい。ディスプレイインターフェース５５６は、グラフィック情報および他の情報をユーザに提示するべくディスプレイ５５４を駆動する適切な回路を備えてよい。制御インターフェース５５８はユーザからコマンドを受け取り、またプロセッサ５５２に提出するためにそれらを変換することができる。さらに加えて、デバイス５５０と他のデバイスとの近領域通信を可能にするため、外部インターフェース５６２がプロセッサ５５２と通信した状態で与えられてよい。外部インターフェース５６２は、例えばいくつかの実施においては有線接続通信を提供してもよく、他の実施においては無線通信を提供してもよく、複数のインターフェースが用いられてもよい。
【００３９】
メモリ５６４はコンピュータデバイス５５０内に情報を記憶する。メモリ５６４は、１つまたは複数のコンピュータ可読媒体、１つ以上の揮発性メモリユニット、または１つ以上の非揮発性メモリユニットとして実施されうる。拡張メモリ５７４もまた供給され、また例えばＳＩＭＭ（シングルインラインメモリモジュール）カードインターフェースを含みうる拡張インターフェース５７２を通してデバイス５５０に接続される場合もある。そのような拡張メモリ５７４はデバイス５５０に追加の記憶スペースを与えることができ、またはデバイス５５０用のアプリケーションか他の情報を記憶することもできる。特に、拡張メモリ５７４は上に記載した処理を実行するか補う命令を含む場合があり、またセキュアな情報を含む場合もある。したがって、例えば拡張メモリ５７４はデバイス５５０にセキュリティモジュールとして備えられる場合があって、またデバイス５５０のセキュアな利用を許可する命令でプログラムされる場合がある。さらに、セキュアなアプリケーションが、ハッキング不可能な手法によりＳＩＭＭカード上に識別情報を配置するなど追加の情報とともに、ＳＩＭＭカードを介して提供されてよい。
【００４０】
メモリは、例えば以下で論じるようなフラッシュメモリとＮＶＲＡＭメモリとの一方または両方を含んでよい。１つの実施において、コンピュータプログラム製品は情報担体の中に触覚的に含まれる。コンピュータプログラム製品は、実行される時に上に記載した方法など１つ以上の方法を行う命令を含む。情報担体はメモリ５６４、拡張メモリ５７４、またはトランシーバ５６８または外部インターフェース５６２によって受け取られうるプロセッサ５５２上のメモリなどのコンピュータまたは機械可読媒体である。
【００４１】
デバイス５５０は、必要な場合にはデジタル信号処理回路を含みうる通信インターフェース５６６を通して無線で通信してよい。通信インターフェース５６６は、ＧＳＭ（登録商標）音声電話、ＳＭＳ、ＥＭＳ、ＭＭＳメッセージなどの様々なモードまたはプロトコル、ＣＤＭＡ、ＴＤＭＡ、ＰＤＣ、ＷＣＤＭＡ（登録商標）、ＣＤＭＡ２０００、またはＧＰＲＳ、の下での通信を担ってよい。そのような通信は、例えば無線周波数トランシーバ５６８を通して行われる。さらに、近距離通信はＢｌｕｅｔｏｏｔｈ、ＷｉＦｉ（登録商標）、または他の前述のトランシーバ（示されていない）を用いるなどして行われる場合がある。さらに、ＧＰＳ（全地球位置測位システム）受信機モジュール５７０は、デバイス５５０上で動作するアプリケーションによって適宜用いられうるデバイス５５０に、追加のナビゲーションおよびロケーション関連の無線データを提供することができる。
【００４２】
デバイス５５０は、ユーザからの発話の情報を受け取り、またそれを使用可能なデジタル情報に変換するオーディオコーデック５６０を用いて、聴覚的に通信する場合もある。オーディオコーデック５６０は同様に、例えばデバイス５５０の送受話器において、スピーカを通すなどしてユーザに対して可聴音を生じることができる。そのような音は音声電話呼からの音を含んでよく、録音された音（例えば音声メッセージ、音楽ファイルなど）を含んでよく、デバイス５５０上で動作するアプリケーションによって生じる音を含んでもよい。
【００４３】
コンピュータデバイス５５０は図に示すように、たくさんの異なる形態で実施される場合がある。例えば、それは携帯電話５８０として実施される場合がある。それはスマートフォン５８２、携帯情報端末または他の同様のモバイルデバイスの一部として実施される場合もある。
【００４４】
本明細書に記載された様々な技術の実施は、デジタル電子回路において、またはコンピュータハードウェア、ファームウェア、ソフトウェアにおいて、またはそれらの組み合わせにより実施される場合がある。実施はコンピュータプログラム製品として、すなわち例えばプログラム可能なプロセッサ、コンピュータまたは複数のコンピュータといったデータ処理機構により実行されるための、またはその操作を制御するための機械可読記憶装置において、実施されてよい。上に記載したコンピュータプログラムなどのコンピュータプログラムは、コンパイル型言語またはインタプリタ型言語を含む任意の形態のプログラム言語で記述されることが可能であり、スタンドアローンのプログラムとして、またはモジュールかコンポーネントかサブルーチンかコンピュータ環境での利用に適切な他のユニットとしての形態を含め、任意の形態によりデプロイすることができる。コンピュータプログラムは、１つの場所または複数の場所にわたって分散された、１つのコンピュータ上または複数のコンピュータ上で実行され、通信ネットワークによって互いに接続されるためにデプロイされうる。
【００４５】
入力データで作動し、出力を生じることにより機能を果たすためのコンピュータプログラムを実行する、プログラム可能な１つ以上のプロセッサにより、方法のステップは行われる。例えばＦＰＧＡ（フィールドプログラマブルゲートアレイ）またはＡＳＩＣ（特定用途向け集積回路）といった特別目的の論理回路のように、方法のステップは行われてもよく、機構は実施されてもよい。
【００４６】
コンピュータプログラムの実行に適切なプロセッサは、例として、一般的だけでなく特別の目的のマイクロプロセッサおよび任意の種類のデジタルコンピュータの１つ以上の任意のプロセッサを含む。一般に、プロセッサは命令とデータを読出専用メモリ、ランダムアクセスメモリ、またはその両方から受け取るだろう。コンピュータの要素は命令を実行するための１つ以上のプロセッサと、命令とデータを記憶するための１つ以上のメモリデバイスを有してよい。一般にコンピュータは、例えば磁気、磁気光学ディスク、または光ディスクといったデータを記憶するための１つ以上のマスストレージデバイスからデータを受け取るため、またはそれらにデータを転送するために動作的に結合されていてもよい。コンピュータプログラム命令とデータを含むのに適切な情報担体は、例として例えばＥＰＲＯＭ、ＥＥＰＲＯＭ、およびフラッシュメモリデバイスすなわち、例えば内部ハードディスクまたはリムーバブルディスクすなわち磁気光学ディスクといった磁気ディスク、およびＣＤ−ＲＯＭとＤＶＤ−ＲＯＭといった半導体メモリデバイスを含む非揮発性メモリの全ての形態を含む。プロセッサおよびメモリは特別目的の論理回路により補われ、または組み入れられてよい。
【００４７】
ユーザとの対話を担うため、実装は、例えば陰極線管（ＣＲＴ）または液晶ディスプレイ（ＬＣＤ）といったユーザに情報を表示するためのディスプレイデバイスと、それによってユーザがコンピュータに入力を提供可能な、キーボードおよびポインティングデバイス（例えば、マウスまたはトラックボール）とを有するコンピュータに対し行われる。他の種類のデバイスもユーザとの対話を担うことに使われることが可能である。つまり、例えばユーザに対し提供されるフィードバックは、例えば視覚的なフィードバック、聴覚のフィードバック、触覚のフィードバックといった任意の形態の感覚によるフィードバックであることが可能であり、ユーザからの入力は聴覚、発声、または触覚の入力を含む任意の形態により受け取られることができる。
【００４８】
実装はコンピュータシステムにおいて行われてよい。そのコンピュータシステムは、例えばデータサーバとしてバックエンド構成要素を含むか、または例えばアプリケーションサーバといったミドルウェア構成要素を含むか、または例えばユーザがある実装と対話可能であることによるグラフィカルユーザインターフェースまたはウェブブラウザを有するクライアントコンピュータといったフロントエンド構成要素を含む。または実装はそのようなバックエンド、ミドルウェア、またはフロントエンド構成要素の任意の組み合わせにおいて行われてよい。構成要素は、任意の形態または例えば通信ネットワークといったデジタルデータ通信の媒体によって相互に接続されていてよい。通信ネットワークの例には、構内情報通信網（ＬＡＮ）および例えばインターネットといったワイドエリアネットワーク（ＷＡＮ）が含まれる。
【００４９】
記載された実施の特定の特徴は本明細書に記載したように説明されたが、多くの修正、代用、変更および同等のものがこれから当業者により行われるであろう。それゆえに、添付された請求項が発明の実施形態の本質に該当するとしてそのような修正や変更の全てをカバーすることを意図されるということが理解される。
【図１Ａ】
2019500663.tif 000003
【図１Ｂ】
2019500663.tif 000004
【図１Ｃ】
2019500663.tif 000005
【図１Ｄ】
2019500663.tif 000006
【図１Ｅ】
2019500663.tif 000007
【図１Ｆ】
2019500663.tif 000008
【図２Ａ】
2019500663.tif 000009
【図２Ｂ】
2019500663.tif 000010
【図２Ｃ】
2019500663.tif 000011
【図３Ａ】
2019500663.tif 000012
【図３Ｂ】
2019500663.tif 000013
【図３Ｃ】
2019500663.tif 000014
【図３Ｄ】
2019500663.tif 000015
【図４】
2019500663.tif 000016
【図５】
2019500663.tif 000017
【国際調査報告】
2019500663.tif 000018
2019500663.tif 000019